(57)【特許請求の範囲】
【請求項１】
端子収容室と同軸プラグのプラグピンを上方から端子収容室内に挿抜自在とする挿通孔とが形成された絶縁ハウジングと、
導電性板片で形成され、固定接触片部と端子収容室内のプラグピンの挿抜方向に沿って絶縁ハウジングに支持される位置決め片部とを一体に有するノーマルクローズ端子と、
導電性板片で形成され、挿通孔の下方に臨むプラグ接触部と、ノーマルクローズ端子の固定接触片部に接離する可動接触部と、端子収容室内のプラグピンの挿抜方向に沿って絶縁ハウジングに少なくともその一部が支持され、前記可動接触部を前記固定接触片部の方向へ付勢する板バネ片部とを一体に有するコモン端子とを備え、
同軸プラグを接続しない常時は、板バネ片部に付勢される可動接点部が固定接触片部に弾性接触してノーマルクローズ端子とコモン端子が電気接続し、
同軸プラグが接続されると、プラグ接触部に当接するプラグピンにより可動接触部が固定接触片部から後退して固定接触片部との接触が断たれ、コモン端子の電気接続がノーマルクローズ端子からプラグピンへ切り換えられるスイッチ付き同軸コネクタであって、
ノーマルクローズ端子の位置決め片部とコモン端子の板バネ片部は、それぞれ端子収容室の可動接触部の可動方向で対向する絶縁ハウジングに支持され、
ノーマルクローズ端子の位置決め片部は、その対向方向で前記プラグピンの挿抜方向に沿った平面に対して、導電性板片が平行となるように絶縁ハウジングに支持されることを特徴とするスイッチ付き同軸コネクタ。
【請求項２】
コモン端子の板バネ片部に、前記平面に対して導電性板片が平行となる交差板部が形成されることを特徴とする請求項１に記載のスイッチ付き同軸コネクタ。
【請求項３】
コモン端子の可動接触部は、前記平面に対して平行として前記交差板部に連設されることを特徴とする請求項２に記載のスイッチ付き同軸コネクタ。
【請求項４】
ノーマルクローズ端子の位置決め片部は、可動接触部の可動方向でコモン端子が対向する部位から外れた側方に絶縁ハウジングに支持され、固定接触片部は、その位置決め片部から可動接触部に対向する部位に直角に折り曲げて形成されることを特徴とする請求項１乃至請求項３のいずれか１項に記載のスイッチ付き同軸コネクタ。
【請求項５】
ノーマルクローズ端子の固定接触片部は、前記平面に対して平行として前記位置決め片部に連設されることを特徴とする請求項１乃至請求項３のいずれか１項に記載のスイッチ付き同軸コネクタ。
【請求項６】
コモン端子の一側は、携帯通信機器の送受信回路に接続し、同軸プラグが接続されると、コモン端子の他側の電気接続が内部アンテナに接続するノーマルクローズ端子から外部アンテナに接続するプラグピンへ切り換えられることを特徴とする請求項１に記載のスイッチ付き同軸コネクタ。
【発明の詳細な説明】
【技術分野】
【０００１】
本発明は、同軸ケーブルなどの端末に接続された同軸プラグを接続することによって、コモン端子の接続がノーマルクローズ端子から同軸プラグのプラグピンへ切り換えられるスイッチ付き同軸コネクタに関する。
【背景技術】
【０００２】
スイッチ付き同軸コネクタは、図１２に示すように、例えば携帯電話機１１０等の携帯通信機器に内蔵され、電波状態が悪い環境で、外部アンテナが接続された同軸プラグ１２０のプラグピン１２１を挿入し、通常、内蔵の内部アンテナ１１１に接続する機器内の送受信回路を外部アンテナへ切り換える用途で用いられる。
【０００３】
このような用途で用いられる特許文献１に記載の従来のスイッチ付き同軸コネクタ１００を図１３と図１４で説明すると、スイッチ付き同軸コネクタ１００は、それぞれ導電性板片を折り曲げて形成されるノーマルクローズ端子１０１及びコモン端子１０２と、これらの端子１０１、１０２を端子収容室１０３ａ内に位置決め支持する筒状の絶縁ハウジング１０３と、絶縁ハウジング１０３の外側面を覆うアース金具１０４とから構成される。絶縁ハウジング１０３の上方には、端子収容室１０３ａに挿通する挿通孔１０３ｂが穿設され、上方から同軸プラグ１２０のプラグピン１２１を端子収容室１０３ａ内に挿抜自在としている。
【０００４】
導電性板片をほぼＬ字状に折り曲げて形成されるノーマルクローズ端子１０１は、端子収容室１０３の上方の内壁面に沿って臨む固定接触片部１０１ａと、端子収容室１０３の内壁面に沿って絶縁ハウジング１０３に位置決めされる固定部１０１ｂと、固定部１０１ｂの下端からＬ字状に折り曲げられ、絶縁ハウジング１０３の底面に沿って側方に突出する脚部１０１ｃを一体に有し、脚部１０１ｃと半田接続するプリント配線基板１４０上の導電パターンを介して機器に内蔵の内部アンテナに電気接続している。
【０００５】
コモン端子１０２は、プラグピン１２１の挿抜経路を挟んでノーマルクローズ端子１０１に対向する端子収容室１０３ａの内壁面に沿って配置され、細長帯状の導電性板片の一側で挿通孔１０３ｂの下方に臨むプラグ接触部１０２ａと、細長帯状の長手方向に沿ってＳ字状に折り曲げて形成される板バネ片部１０２ｂと、板バネ片部１０２ｂの側面からノーマルクローズ端子１０１の方向に直角に折り曲げられ、固定接触片部１０１ａに接離する可動接触部１０２ｃと、板バネ片部１０２ｂの基端が１８０度折り返されて絶縁ハウジング１０３の凹溝に圧入して固定される固定部１０２ｄと、固定部１０２ｄの下端からＬ字状に折り曲げられ、絶縁ハウジング１０３の底面に沿って側方に突出する脚部１０２ｅを一体に有し、脚部１０２ｅと半田接続するプリント配線基板１４０上の導電パターンを介して機器内の送受信回路に接続している。
【０００６】
コモン端子１０２の可動接触部１０２ｃは、自由状態で、Ｓ字状に折り曲げて形成される板バネ片部１０２ｂに付勢されてノーマルクローズ端子１０１の固定接触片部１０１ａに弾性接触し、機器内の送受信回路は、内部アンテナ側に接続している。外部アンテナに接続する同軸プラグ１２０のプラグピン１２１を、挿通孔１０３ｂの上方から挿入すると、プラグピン１２１がプラグ接触部１０２ａに弾性接触するとともに、可動接触部１０２ｃを板バネ片部１０２ｂの弾性に抗して固定接触片部１０１ａから後退させ、機器内の送受信回路との接続は、内部アンテナから外部アンテナに切り換えられる。
【０００７】
このような構造のスイッチ付き同軸コネクタ１００においては、コモン端子１０２の板バネ片部１０２ｂに塑性変形に至る大きな応力が発生しないように、板バネ片部１０２ｂの曲げ方向に直交する横断面の断面係数Ｚを小さくする必要があり、表面の幅がその板厚より長くなるように、可動接触部１０２ｃの移動方向に対して板バネ片部１０２ｂを直交させて配置している。一方で、コモン端子１０２の対向部位に配置されるノーマルクローズ端子１０１の固定接触片部１０１ａは、コモン端子１０２やノーマルクローズ端子１０１の組み立て誤差や板バネ片部１０２ａの加工誤差があっても、可動接触部１０２ｃが弾性接触するように、可動接触部１０２ｃの移動方向に対して直交する端子収容室１０３ａの内壁面に沿って配置している。
【０００８】
その結果、コモン端子１０２とノーマルクローズ端子１０１との対向面積が大きく、コモン端子１０２がプラグピン１２１に接触している間のノーマルクローズ端子１０１とのアイソレーション特性が悪化し、内部アンテナとのクロストークが発生する問題が生じていた。特許文献１では、この問題を解消するために、コモン端子１０２の板バネ片部１０２ｂを長手方向に沿ってＳ字状に折り曲げて形成し、充分なバネ性を維持すると共に、ノーマルクローズ端子１０１とコモン端子１０２間の距離を大きくとり、アイソレーション特性の改善を図っている。
【先行技術文献】
【特許文献】
【０００９】
【特許文献１】特許第４２２０４４６号公報
【発明の概要】
【発明が解決しようとする課題】
【００１０】
しかしながら、内部アンテナから流れる高周波信号は、ノーマルクローズ端子１０１とコモン端子１０２間の浮遊容量を通して送受信回路へ漏れて流れるものであり、この浮遊容量は、ノーマルクローズ端子１０１とコモン端子１０２間の距離に反比例するが、両者の対向面積に比例する。従って、ノーマルクローズ端子１０１とコモン端子１０２間の対向面積を変えずに、その間の距離を大きくとっただけの従来のスイッチ付き同軸コネクタ１００では、充分にアイソレーション特性を改善できない。
【００１１】
更に、コモン端子１０２の板バネ片部１０２ｂをＳ字状に折り曲げて、ノーマルクローズ端子１０１から距離をおいても、コモン端子１０２のプラグ接触部１０２ａに接触するプラグピン１２１とノーマルクローズ端子１０１との距離が接近し、その間の浮遊容量を通してノーマルクローズ端子１０１の高周波信号がコモン端子１０２へ流れ、アイソレーション特性を改善することができない。
【００１２】
本発明はこのような問題点に鑑みてなされたもので、コモン端子とノーマルクローズ端子間のアイソレーション特性を改善したスイッチ付き同軸コネクタを提供することを目的とする。
【課題を解決するための手段】
【００１３】
上述の目的を達成するため、請求項１に記載のスイッチ付き同軸コネクタは、端子収容室と同軸プラグのプラグピンを上方から端子収容室内に挿抜自在とする挿通孔とが形成された絶縁ハウジングと、導電性板片で形成され、固定接触片部と端子収容室内のプラグピンの挿抜方向に沿って絶縁ハウジングに支持される位置決め片部とを一体に有するノーマルクローズ端子と、導電性板片で形成され、挿通孔の下方に臨むプラグ接触部と、ノーマルクローズ端子の固定接触片部に接離する可動接触部と、端子収容室内のプラグピンの挿抜方向に沿って絶縁ハウジングに少なくともその一部が支持され、可動接触部を固定接触片部の方向へ付勢する板バネ片部とを一体に有するコモン端子とを備え、同軸プラグを接続しない常時は、板バネ片部に付勢される可動接点部が固定接触片部に弾性接触してノーマルクローズ端子とコモン端子が電気接続し、同軸プラグが接続されると、プラグ接触部に当接するプラグピンにより可動接触部が固定接触片部から後退して固定接触片部との接触が断たれ、コモン端子の電気接続がノーマルクローズ端子からプラグピンへ切り換えられるスイッチ付き同軸コネクタであって、ノーマルクローズ端子の位置決め片部とコモン端子の板バネ片部は、それぞれ端子収容室の可動接触部の可動方向で対向する絶縁ハウジングに支持され、ノーマルクローズ端子の位置決め片部は、その対向方向で前記プラグピンの挿抜方向に沿った平面に対して、導電性板片が平行となるように絶縁ハウジングに支持されることを特徴とする。
【００１４】
ノーマルクローズ端子の位置決め片部は、弾性変形させたり、コモン端子の可動接触部と位置ずれがあっても接触するように可動接触部との対向面に沿って臨ませる必要がないので、コモン端子が対向する対向面に対して導電性板片の板厚方向が平行となるように絶縁ハウジングに支持することができる。コモン端子が対向する対向面に対して導電性板片の板厚方向が平行に支持されたノーマルクローズ端子は、板厚方向の側面のみがコモン端子と対向し、両者の対向面積が減少するので、その間の浮遊容量が減少する。
【００１５】
請求項２に記載のスイッチ付き同軸コネクタは、コモン端子の板バネ片部に、前記平面に対して導電性板片が平行となる交差板部が形成されることを特徴とする。
【００１６】
交差板部は、導電性板片の板厚方向が可動接触部の移動方向に対して直交するので、板厚方向の側面のみがノーマルクローズ端子と対向し、コモン端子とノーマルクローズ端子間の対向面積が更に減少する。
【００１７】
請求項３に記載のスイッチ付き同軸コネクタは、コモン端子の可動接触部が、前記平面に対して平行として交差板部に連設されることを特徴とする。
【００１８】
固定接触部に接離することにより、ノーマルクローズ端子に最も接近する可動接触部の板厚方向の側面が固定接触部に対向するので、最も接近する可動接触部と固定接触片部間の浮遊容量が減少する。
【００１９】
請求項４に記載のスイッチ付き同軸コネクタは、ノーマルクローズ端子の位置決め片部は、可動接触部の可動方向でコモン端子が対向する部位から外れた側方に絶縁ハウジングに支持され、固定接触片部は、その位置決め片部から可動接触部に対向する部位に直角に折り曲げて形成されることを特徴とする。
【００２０】
ノーマルクローズ端子の位置決め片部はコモン端子に対向する部位の側方に支持され、固定接触片部のみがコモン端子に対向するので、コモン端子との対向面積が減少し、コモン端子とノーマルクローズ端子間の浮遊容量が更に減少する。
【００２１】
請求項５に記載のスイッチ付き同軸コネクタは、ノーマルクローズ端子の固定接触片部は、前記平面に対して平行として前記位置決め片部に連設されることを特徴とする。
【００２２】
固定接触片部の導電性板片の板厚方向が対向面に平行となるので、板厚方向の側面のみが可動接触部と対向し、最も接近する可動接触部と固定接触片部間の浮遊容量が減少する。
【００２３】
請求項６に記載のスイッチ付き同軸コネクタは、コモン端子の一側は、携帯通信機器の送受信回路に接続し、同軸プラグが接続されると、コモン端子の他側の電気接続が内部アンテナに接続するノーマルクローズ端子から外部アンテナに接続するプラグピンへ切り換えられることを特徴とする。
【００２４】
携帯通信機器に外部アンテナを接続した際に、内部アンテナからのアンテナ信号が送受信回路に漏れない。
【発明の効果】
【００２５】
請求項１の発明によれば、導電性板片で形成されるノーマルクローズ端子の絶縁ハウジングに支持される向きを調整するだけで、コモン端子とのアイソレーションを特性を改善できる。
【００２６】
請求項２の発明によれば、交差板部は、板厚方向の側面が可動接触部の移動方向に臨むので、移動方向に配置されるノーマルクローズ端子との対向面積が減少し、コモン端子とノーマルクローズ端子間のアイソレーション特性を更に改善できる。
【００２７】
請求項３の発明によれば、最も接近する可動接触部と固定接触部間の対向面積が減少するので、コモン端子とノーマルクローズ端子間のアイソレーションが飛躍的に改善される。
【００２８】
請求項４の発明によれば、ノーマルクローズ端子の主要部である位置決め片部がコモン端子との対向部位から外れるので、コモン端子とノーマルクローズ端子間のアイソレーション特性を更に改善できる。
【００２９】
請求項５の発明によれば、可動接触部に最も接近する固定接触片部の板厚方向の側面が可動接触部に対向するので、コモン端子とノーマルクローズ端子間のアイソレーション特性を更に改善できる。
【００３０】
請求項６の発明によれば、携帯通信機器に外部アンテナを接続した際に、内部アンテナとのクロストークがない。
【図面の簡単な説明】
【００３１】
【図１】本発明の一実施の形態に係るスイッチ付き同軸コネクタ１をノーマルクローズ端子３とコモン端子４の対向方向に沿って切断した断面斜視図である。
【図２】スイッチ付き同軸コネクタ１の分解斜視図である。
【図３】絶縁ハウジング２に支持されるノーマルクローズ端子３とコモン端子４の配置関係を示す斜視図である。
【図４】ノーマルクローズ端子３とコモン端子４の対向方向と直交する左右方向に沿って切断したスイッチ付き同軸コネクタ１の縦断面図である。
【図５】ノーマルクローズ端子３とコモン端子４の対向方向に沿って切断したスイッチ付き同軸コネクタ１の縦断面図である。
【図６】図５に示すスイッチ付き同軸コネクタ１に同軸プラグ１２０を接続した状態を示す縦断面図である。
【図７】ノーマルクローズ端子とコモン端子の配置方向とアイソレーション特性の関係を比較して示すグラフである。
【図８】第２実施の形態に係るスイッチ付き同軸コネクタ３０の絶縁ハウジング２に支持されるノーマルクローズ端子３３とコモン端子３４の配置関係を示し、（ａ）は、平面図、（ｂ）は、ノーマルクローズ端子３３の左側面図、（ｃ）は、正面図、（ｄ）は、コモン端子３４の右側面図ある。
【図９】第３実施の形態に係るスイッチ付き同軸コネクタ４０の絶縁ハウジング２に支持されるノーマルクローズ端子４３とコモン端子４４の配置関係を示し、（ａ）は、平面図、（ｂ）は、ノーマルクローズ端子４３の左側面図、（ｃ）は、正面図、（ｄ）は、コモン端子４４の右側面図ある。
【図１０】第４実施の形態に係るスイッチ付き同軸コネクタ５０の絶縁ハウジング２に支持されるノーマルクローズ端子５３とコモン端子５４の配置関係を示し、（ａ）は、平面図、（ｂ）は、ノーマルクローズ端子５３の左側面図、（ｃ）は、正面図、（ｄ）は、コモン端子５４の右側面図ある。
【図１１】第５実施の形態に係るスイッチ付き同軸コネクタ６０の絶縁ハウジング２に支持されるノーマルクローズ端子６３とコモン端子６４の配置関係を示し、（ａ）は、平面図、（ｂ）は、ノーマルクローズ端子６３の左側面図、（ｃ）は、正面図、（ｄ）は、コモン端子６４の右側面図ある。
【図１２】スイッチ付き同軸コネクタを内蔵した携帯電話機１１０の部分破断斜視図である。
【図１３】従来のスイッチ付き同軸コネクタ１００の縦断面図である。
【図１４】スイッチ付き同軸コネクタ１００の分解斜視図である。
【発明を実施するための形態】
【００３２】
以下、本発明の一実施の形態に係るスイッチ付き同軸コネクタ１を、図１乃至図７を用いて説明する。図１乃至図６には、本実施の形態に係るスイッチ付き同軸コネクタ１を構成する各部の構成が示され、これらの図において、３はノーマルクローズ端子、４はコモン端子、２は、これらの端子３、４を位置決め支持する絶縁ハウジング、５は、絶縁ハウジング２の外周面を覆う筒状アース金具である。絶縁ハウジング２に支持されるコモン端子４は、同軸プラグ１２０のプラグピン１２１の挿抜によりその可動接触部４ａが可動する可動端子であり、以下の説明では、自由状態で可動接触部４ａを付勢する方向を前方と、プラグピン１２１がコモン端子４のプラグ接触部４ｂに当接して後退する方向を後方と、図４の図示する方向を上下左右方向として説明する。
【００３３】
絶縁ハウジング２は、円筒状のハウジング本体２ａと、ハウジング本体２ａの下端のフランジ部２ｂとが絶縁性合成樹脂で一体に形成されている。ハウジング本体２ａの上部には、円筒状の中心軸回りに同軸プラグ１２０のプラグピン１２１を挿通させる挿通孔７が穿設され、図６に示すように、上方から挿通孔７へ挿入するプラグピン１２１をハウジング本体２ａ内の端子収容室６へ挿抜自在としている。
【００３４】
端子収容室６の前方には、ハウジング本体２ａを肉厚とした角柱部２ｃが、挿通孔７の前端から鉛直方向に沿って形成されている。角柱部２ｃには、角柱部２ｃ内で前後方向に展開される扁平溝８ａとその後端から各柱部２ｃの右側面まで連続する扁平逃げ溝８ｂとによって横断面形状が逆Ｌ字状に表れる固定端子取付溝８が、角柱部２ｃの起立方向に沿ってハウジング本体２ａの底面に開口するまで凹設されている。一方、角柱部２ｃに前後方向で対向する端子収容室６の後面には、コモン端子４の後述する板バネ片部４ｃを位置決め支持する取り付け凹溝９が鉛直方向に沿ってハウジング本体２ａの底面に達するまで同一横断面形状で形成されている。
【００３５】
固定端子取付溝８に収容されるノーマルクローズ端子３は、図３に示すように、導電性の金属薄板を階段状に打ち抜いて、細長帯状に起立する位置決め片部３ａの上下に固定接触片部３ｂとクランク状の脚部３ｃを一体に形成した後、固定接触片部３ｂを、位置決め片部３ａの上部から右方に直角に折り曲げて形成する。位置決め片部３ａは、金属薄板から打ち抜いた打ち抜き方向が板厚方向となるので、板厚方向の側面の幅は、金属薄板の板厚に等しい。
【００３６】
この位置決め片部３ａの板厚方向の側面の幅は、固定端子取付溝８の扁平溝８ａの溝幅と等しいかわずかに長いものとなっていて、図２に示すように、ノーマルクローズ端子３は、ハウジング本体２ａの下方から固定端子取付溝８の扁平溝８ａへ位置決め片部３ａを圧入して取り付けられる。位置決め片部３ａを扁平溝８ａの下方から上方へ圧入する工程で、位置決め片部３ａの上部から右方に直角に折り曲げられた固定接触片部３ｂは、扁平逃げ溝８ｂ内を摺動し、図４、図５に示すように、ノーマルクローズ端子３が完全に固定端子取付溝８に取り付けられた状態で、端子収容室６内の角柱部２ｃの右方に突出する。この取り付けられた状態で、位置決め片部３ａは、前後方向に展開される扁平溝８ａ内に位置決めされるので、細幅の側面が後方に対向する。また、位置決め片部３ａから下方にクランク状に連続する脚部３ｃは、絶縁ハウジング２底面から下方に突出している。
【００３７】
コモン端子４は、隣青銅など導電性とバネ性のある金属薄板を細長帯状に打ち抜いて折り曲げ形成したもので、図３、図５に示すように、細長帯状の板バネ片部４ｃと、板バネ片部４ｃの上方で前方に半円筒状に湾曲するプラグ接触部４ｂと、板バネ片部４ｃの上方の右側面から前方に板バネ片部４ｃに直交して折り曲げられた平板状の可動接触部４ａと、板バネ片部４ｃの下端からクランク状に連設する脚部４ｄとが一体に形成されている。板バネ片部４ｃは、更に、中央のくの字状の折り曲げ部で下方の固定片部４ｃａと上方の傾斜片部４ｃｂとからなり、固定片部４ｃａの両側面には、ハウジング本体２ａの取り付け凹溝９の左右の内側面に係止する係止爪４ｅが突設されている。
【００３８】
図２に示すように、コモン端子４も固定片部４ｃａをハウジング本体２ａの下方から取り付け凹溝９内に挿入し、係止爪４ｅを取り付け凹溝９の左右の内側面へ係止して絶縁ハウジング２へ取り付ける。コモン端子４が取り付け凹溝９に位置決め固定された状態で、固定片部４ｃａから上方の傾斜片部４ｃｂ、プラグ接触部４ｂ及び可動接触部４ａは、固定片部４ｃａで片持ち支持され、可動接触部４ａは、板バネ片部４ｃの弾性により前方に付勢され、ノーマルクローズ端子３の固定接触片部３に弾性接触する。また、可動接触部４ａが固定接触片部３に弾性接触する位置で、プラグ接触部４ｂは、挿通孔７の下方で角柱部２ｃの後面に前後方向で対向する位置に臨み、同軸プラグ１２０のプラグピン１２１が上方から挿通孔７内に挿入されると、プラグピン１２１に接触するとともに、角柱部２ｃの後面との間でプラグピンを１２１を挟持して鉛直方向に沿って案内する。
【００３９】
筒状アース金具５は、導電性の亜鉛合金を鋳造して絶縁ハウジング２の外側面の全体を覆う筒状に形成され、円筒状のアース接触部５ａと、アース接触部５ａの下方で絶縁ハウジング２のフランジ部２ｂの上面に当接するアース金具本体５ｂと、アース金具本体５ｂの底面側の四隅に垂設されたアース脚部５ｃとからなっている。アース接触部５ａは、円筒状のハウジング本体２ａの外周面を覆い、スイッチ付き同軸コネクタ１に接続する同軸プラグ１２０の外部導体１２２に接触する。
【００４０】
このように構成されるスイッチ付き同軸コネクタ１は、絶縁ハウジング２の下方からノーマルクローズ端子３とコモン端子４を圧入して絶縁ハウジング２へ位置決めした後、絶縁ハウジング２の上方から筒状アース金具５を装着する。その後、スイッチ付き同軸コネクタ１を実装する図示しないプリント配線基板上へ配置し、絶縁ハウジング２の下方に突出するノーマルクローズ端子３の脚部３ｃを携帯通信機器の内部アンテナに接続する信号パターンに、コモン端子４の脚部４ｄを携帯通信機器の送受信回路に接続する信号パターンに、筒状アース金具５のアース脚部５ｃを接地パターンに、それぞれ半田接続する。筒状アース金具５のアース脚部５ｃをプリント配線基板の接地パターンへ接続することにより、絶縁ハウジング２が筒状アース金具５とプリント配線基板との間に挟持された状態でスイッチ付き同軸コネクタ１がプリント配線基板上に実装される。
【００４１】
プリント配線基板に実装されたスイッチ付き同軸コネクタ１は、挿通孔７が携帯通信機器のケースから外方に臨み、外部から一端が外部アンテナに接続する同軸プラグ１２０を接続可能となっている。外部アンテナを接続しない常時は、図５に示すように、コモン端子４の可動接触部４ａが、板バネ片部４ｃの弾性により前方に付勢され、固定接触片部３ｂに弾性接触することにより、コモン端子４はノーマルクローズ端子３に電気接続し、送受信回路は、機器内の内部アンテナ側に接続している。
【００４２】
図６に示すように、同軸プラグ１２０のプラグピン１２１を挿通孔７へ挿入して接続すると、プラグピン１２１は、挿通孔７の下方に臨むコモン端子４のプラグ接触部４ｂに弾性接触しながら、板バネ片部４ｃの弾性に抗してプラグ接触部４ｂを後方へ押し込み、プラグ接触部４ｂの後方への移動に連動して可動接触部４ａは、固定接触片部３ｂから離れて後退する。その結果、コモン端子４は、ノーマルクローズ端子３からプラグピン１２１に接続し、送受信回路は、機器内の内部アンテナから外部アンテナ側に接続が切り換えられる。
【００４３】
このように可動接触部４ａと固定接触片部３ｂ間が絶縁されても、端子収容室６の前後方向でノーマルクローズ端子３とコモン端子４が対向するので、その間に発生する浮遊容量を介して内部アンテナのアンテナ信号とのクロストークが発生する恐れがある。しかしながら、本実施の形態では、ノーマルクローズ端子３の主要部分である位置決め片部３ａを対向方向（前後方向）に展開される扁平溝８ａ内に位置決めし、打ち抜き方向に沿った細幅の側面をコモン端子４に対向させるので、コモン端子４とノーマルクローズ端子３間の対向面積が極めて小さく、その間の浮遊容量が減少し、ノーマルクローズ端子３とコモン端子４間のアイソレーションが高くなる。
【００４４】
図７は、ノーマルクローズ端子３とコモン端子４の配置方向とアイソレーション特性の関係を比較したグラフであり、図中（Ａ）は、ノーマルクローズ端子とコモン端子の各表面を対向方向に対して直交させた従来の配置方向でのアイソレーション特性を、（Ｂ）は、ノーマルクローズ端子３の位置決め片部３ａを対向方向に対して平行とした本実施の形態の配置方向のアイソレーション特性を比較して示している。（Ａ）と（Ｂ）を比較して明らかなように、本実施の形態によれば、ノーマルクローズ端子３に流れる各高周波信号の周波数帯域において、（Ａ）と比較して、ノーマルクローズ端子３とコモン端子４間のアイソレーションが高く、アイソレーション特性が改善されている。
【００４５】
上述のように、可動接触部４ａが可動する方向で対向するノーマルクローズ端子３とコモン端子４の対向面積を減少させることにより、ノーマルクローズ端子とのアイソレーション特性を改善できるので、ノーマルクローズ端子３の位置決め片部３ａを対向方向に対して平行とした第１実施の形態に対して、ノーマルクローズ端子とコモン端子の基本的な機能を損なわないことを条件に、図８乃至図１１に示すように、端子の配置方向や形状を変更して対向面積を更に減少させることができる。尚、これらの図においては、ノーマルクローズ端子とコモン端子の配置方向や形状を明確にするために絶縁ハウジングや筒状アース金具の図示を省略し、同軸プラグ１２０を接続しない常時の各方向に表れるノーマルクローズ端子とコモン端子を図示している。
【００４６】
図８は、第１実施の形態に係るスイッチ付き同軸コネクタ１について、コモン端子４の固定片部４ｃａに相当する部分を、対向方向に対して平行に配置される交差板部３４ｃａした第２実施の形態に係るスイッチ付き同軸コネクタ３０のノーマルクローズ端子３３とコモン端子３４を示している。この第２実施の形態では、コモン端子３４の板バネ片部３４ｃのうち、絶縁ハウジングに固定されることにより弾性変形しない交差板部３４ｃａを、ノーマルクローズ端子３３との対向方向に対して平行とするので、コモン端子３４のバネ性に影響することなく、ノーマルクローズ端子３３とコモン端子３４間の対向面積を更に減少させることができる。図７の（Ｃ）は、このスイッチ付き同軸コネクタ３０のノーマルクローズ端子３３とコモン端子３４間のアイソレーション特性を示し、（Ａ）及び（Ｂ）と比較して明らかなように、この第２実施の形態によれば、（Ｂ）と比較して更にアイソレーション特性を改善できる。
【００４７】
図９は、第２実施の形態に係るスイッチ付き同軸コネクタ３０と比較し、更に、コモン端子４４の板バネ片部４４ｃの全体と、ノーマルクローズ端子４３の固定接触片部４３ｂを、対向方向に対して平行に配置した第３実施の形態に係るスイッチ付き同軸コネクタ４０を示している。コモン端子４４の板バネ片部４４ｃは、可動接触部４４ａの移動方向に対して平行に配置されるので、曲げ方向での断面係数Ｚが大きくなるが、コモン端子４４とノーマルクローズ端子４３の主要部はいずれもその側面で対向するので、飛躍的にアイソレーション特性を改善できる。
【００４８】
図１０は、第１実施の形態に係るスイッチ付き同軸コネクタ１と比較し、ノーマルクローズ端子３の固定接触片部３ｂに相当する部分を対向方向に対して平行に配置した固定接触片部５３ｂとするとともに、コモン端子４の可動接触部４ａを省略し、板バネ片部５４ｃで兼用した第４実施の形態に係るスイッチ付き同軸コネクタ５０のノーマルクローズ端子５３とコモン端子５４を示している。この第４実施の形態では、固定接触片部５３ｂが対向方向に平行に配置されるので、コモン端子４との対向面積が減少するとともに、ノーマルクローズ端子５３の板バネ片部５４ｃが可動接触部としても作用するので、板バネ片部５４ｃと別に可動接触部をノーマルクローズ端子５３に対向させる必要がなく、両者間の対向面積が更に減少する。
【００４９】
図１１は、第４実施の形態に係るスイッチ付き同軸コネクタ５０と比較し、更に、コモン端子５４の固定片部５４ｃａに相当する部分を、対向方向に対して平行に配置した交差板部６４ｃａとした第５実施の形態に係るスイッチ付き同軸コネクタ６０のノーマルクローズ端子６３とコモン端子６４を示している。この第５実施の形態では、絶縁ハウジングに固定されることにより弾性変形しない交差板部６４ｃａを、ノーマルクローズ端子６３との対向方向に対して平行とするので、コモン端子６４のバネ性に影響することなく、ノーマルクローズ端子６３とコモン端子６４間の対向面積を更に減少させてアイソレーション特性を改善できる。
【００５０】
上述の実施の形態では、ノーマルクローズ端子の主要部である位置決め片部を、コモン端子の主要部である板バネ片部の前後方向である対向方向で、絶縁ハウジングに位置決め固定しているが、位置決め片部をコモン端子との対向部位から外れた部位の絶縁ハウジングに固定し、固定接触片部のみを可動接触部と対向する部位に位置決め片部から折り曲げて形成してもよい。コモン端子との対向部位から外れた部位にノーマルクローズ端子の位置決め片部を配置することにより、両者間の間隔が長くなると共に、対向方向に対して平面が直交するノーマルクローズ端子及びコモン端子は、対向面積が減少する。
【００５１】
また、上述の各実施の形態では、ノーマルクローズ端子とコモン端子は、絶縁ハウジングへ圧入して取り付ける例で説明したが、絶縁ハウジングに一体成形して固定されるものであってもよい。
【産業上の利用可能性】
【００５２】
本発明は、高周波信号の切り換えに用いられるスイッチ付き同軸コネクタに適している。
【符号の説明】
【００５３】
１        スイッチ付き同軸コネクタ
２        絶縁ハウジング
３        ノーマルクローズ端子
３ａ      位置決め片部
３ｂ      固定接触片部
４        コモン端子
４ａ      可動接触部
４ｂ      プラグ接触部
４ｃ      板バネ片部
４ｃａ    固定片部
６        端子収容室
７        挿通孔
３０      第２実施の形態に係るスイッチ付き同軸コネクタ
３３      ノーマルクローズ端子
３４      コモン端子
３４ｃａ  交差板部
４０      第３実施の形態に係るスイッチ付き同軸コネクタ
４３      ノーマルクローズ端子
４４      コモン端子
５０      第４実施の形態に係るスイッチ付き同軸コネクタ
５３      ノーマルクローズ端子
５４      コモン端子
６０      第５実施の形態に係るスイッチ付き同軸コネクタ
６３      ノーマルクローズ端子
６４      コモン端子
６４ｃａ  交差板部
１２０    同軸プラグ
１２１    プラグピン
【要約】      （修正有）【課題】コモン端子とノーマルクローズ端子間のアイソレーション特性を改善したスイッチ付き同軸コネクタを提供する。【解決手段】同軸プラグを接続しない常時は、板バネ片部４Ｃに付勢される可動接点部が固定接触片部に弾性接触してノーマルクローズ端子３とコモン端子が電気接続し、同軸プラグが接続されると、プラグ接触部４ｂに当接するプラグピンにより可動接触部が固定接触片部から後退して固定接触片部との接触が断たれ、コモン端子の電気接続がノーマルクローズ端子からプラグピンへ切り換えられるスイッチ付き同軸コネクタについて、絶縁ハウジング２に位置決めされるノーマルクローズ端子３の位置決め片部３ａを、可動接触部の可動方向でコモン端子が対向する対向面に対して、導電性板片の板厚方向が平行となるように絶縁ハウジング２に支持する。【選択図】図１【図１】
0005605455.tif 000002
【図２】
0005605455.tif 000003
【図３】
0005605455.tif 000004
【図４】
0005605455.tif 000005
【図５】
0005605455.tif 000006
【図６】
0005605455.tif 000007
【図７】
0005605455.tif 000008
【図８】
0005605455.tif 000009
【図９】
0005605455.tif 000010
【図１０】
0005605455.tif 000011
【図１１】
0005605455.tif 000012
【図１２】
0005605455.tif 000013
【図１３】
0005605455.tif 000014
【図１４】
0005605455.tif 000015